(57)【要約】      （修正有）【課題】デジタルオーディオ信号、ＤＣ電力及びデータ信号を同時に搬送するように適合されたケーブルを介して通信するマスタ装置及びスレーブ装置を含むポータブルオーディオネットワーキングシステムを提供する。【解決手段】システム１００において、マスタ装置は、デジタルオーディオ信号を受け取り、電力を分配し、データ信号を送受信する。スレーブ装置は、マスタ装置にデジタルオーディオ信号を送信し、マスタ装置から電力を受け取り、マスタ装置とデータ信号を送受信する。【選択図】図１
2019146230.tif 000002
【特許請求の範囲】
【請求項１】
ポータブルオーディオネットワーキングシステムであって、
デジタルオーディオ信号を受け取り、電源からＤＣ電力を受け取り、前記ＤＣ電力を供給し、データ信号を送受信するように構成されたマスタ装置と、
前記マスタ装置と通信して、前記マスタ装置に前記デジタルオーディオ信号を送信し、前記マスタ装置から前記ＤＣ電力を受け取り、前記マスタ装置と前記データ信号を送受信するように構成されたスレーブ装置と、
を備え、前記マスタ装置と前記スレーブ装置は、前記デジタルオーディオ信号、前記ＤＣ電力及び前記データ信号を同時に搬送するように適合されたケーブルを介して通信する、ことを特徴とするポータブルオーディオネットワーキングシステム。
【請求項２】
前記スレーブ装置は、無線オーディオ受信機を含み、該無線オーディオ受信機は、
無線オーディオ送信機から、アナログ変調信号又はデジタル変調信号のうち１以上を含みオーディオ信号を含む無線周波数（ＲＦ）信号を無線で受け取り、
前記オーディオ信号に基づいて前記デジタルオーディオ信号を生成する、
ように構成される、
請求項１に記載のポータブルオーディオネットワーキングシステム。
【請求項３】
前記マスタ装置は、無線オーディオ送信機又は電子制御装置のうち１以上と無線で通信するように構成された無線アクセスポイントとさらに通信し、
前記マスタ装置は、前記無線アクセスポイントに前記ＤＣ電力を供給し、前記無線アクセスポイントと前記データ信号を送受信するように構成され、
前記無線アクセスポイントは、前記無線オーディオ送信機の機能の制御を可能にするように構成される、
請求項１に記載のポータブルオーディオネットワーキングシステム。
【請求項４】
前記電子制御装置は、スマートフォン、タブレットコンピュータ、ラップトップコンピュータ、又はデスクトップコンピュータのうちの１つ又はそれ以上を含み、前記電子制御装置は、前記無線オーディオ送信機の機能の制御を可能にするためのアプリケーションを実行することができる、
請求項３に記載のポータブルオーディオネットワーキングシステム。
【請求項５】
前記マスタ装置は、オーディオレコーダ又はオーディオミキサのうち１以上を含むオーディオ装置とさらに通信し、
前記マスタ装置は、前記オーディオ装置に前記デジタルオーディオ信号を送信し、前記オーディオ装置に前記ＤＣ電力を供給し、前記オーディオ装置と前記データ信号を送受信するように構成される、
請求項１に記載のポータブルオーディオネットワーキングシステム。
【請求項６】
前記ケーブルは、カテゴリ５ツイストペアケーブルを含む、
請求項１に記載のポータブルオーディオネットワーキングシステム。
【請求項７】
前記マスタ装置及び前記スレーブ装置の各々は、ＲＪ４５ポートを含み、
前記カテゴリ５ツイストペアケーブルは、前記マスタ装置と前記スレーブ装置をそれぞれのＲＪ４５ポートを介して接続するための第１のＲＪ４５コネクタ及び第２のＲＪ４５コネクタを含む、
請求項６に記載のポータブルオーディオネットワーキングシステム。
【請求項８】
前記カテゴリ５ツイストペアケーブルは、
前記デジタルオーディオ信号、及び前記ＤＣ電力のグラウンドを搬送するための第１の差動ペアと、
前記データ信号、及び前記ＤＣ電力の正電圧を搬送するための第２の差動ペアと、
を含む、
請求項６に記載のポータブルオーディオネットワーキングシステム。
【請求項９】
前記デジタルオーディオ信号は、ＡＥＳ３規格に準拠する、
請求項１に記載のポータブルオーディオネットワーキングシステム。
【請求項１０】
前記データ信号は、ＥＩＡ−４８５規格に準拠する双方向シリアルデータ通信を含み、  前記シリアルデータ通信は、アーキテクチャ・フォー・コントロール・ネットワーク（ＡＣＮ）規格の１又はそれ以上のプロトコルを含む、
請求項１に記載のポータブルオーディオネットワーキングシステム。
【請求項１１】
前記ＤＣ電力は、前記ケーブルを介してパワー・オーバー・イーサネット（登録商標）（ＰｏＥ）規格の側面を用いて搬送される、
請求項１に記載のポータブルオーディオネットワーキングシステム。
【請求項１２】
ポータブルオーディオネットワーキングシステムであって、
デジタルオーディオ信号を受け取り、電源からＤＣ電力を受け取り、前記ＤＣ電力を供給し、データ信号を送受信するように構成されたゲートウェイ相互接続装置と、
前記ゲートウェイ相互接続装置と通信して、前記ゲートウェイ相互接続装置に前記デジタルオーディオ信号を送信し、前記ゲートウェイ相互接続装置から前記ＤＣ電力を受け取り、前記ゲートウェイ相互接続装置と前記データ信号を送受信するように構成された無線オーディオ受信機と、
を備え、前記ゲートウェイ相互接続装置と前記無線オーディオ受信機は、前記デジタルオーディオ信号、前記ＤＣ電力及び前記データ信号を同時に搬送するように適合されたカテゴリ５ツイストペアケーブルを介して通信する、
ことを特徴とするポータブルオーディオネットワーキングシステム。
【請求項１３】
前記無線オーディオ受信機は、
無線オーディオ送信機から、アナログ変調信号又はデジタル変調信号のうち１以上を含みオーディオ信号を含む無線周波数（ＲＦ）信号を無線で受け取り、
前記オーディオ信号に基づいて前記デジタルオーディオ信号を生成する、
ように構成される、
請求項１２に記載のポータブルオーディオネットワーキングシステム。
【請求項１４】
前記ゲートウェイ相互接続装置は、無線オーディオ送信機又は電子制御装置のうち１以上と無線で通信するように構成された無線アクセスポイントとさらに通信し、
前記ゲートウェイ相互接続装置は、前記無線アクセスポイントに前記ＤＣ電力を供給し、前記無線アクセスポイントと前記データ信号を送受信するように構成され、
前記無線アクセスポイントは、前記無線オーディオ送信機の機能の制御を可能にするように構成される、
請求項１２に記載のポータブルオーディオネットワーキングシステム。
【請求項１５】
前記ゲートウェイ相互接続装置は、オーディオレコーダ又はオーディオミキサのうち１以上を含むオーディオ装置とさらに通信し、
前記ゲートウェイ相互接続装置は、前記デジタルオーディオ信号に基づいて合成デジタルオーディオ信号を生成し、前記オーディオ装置に前記合成デジタルオーディオ信号を送信し、前記オーディオ装置に前記ＤＣ電力を供給し、前記オーディオ装置と前記データ信号を送受信するように構成され、前記合成デジタルオーディオ信号は、ダンテ規格に準拠する、
請求項１２に記載のポータブルオーディオネットワーキングシステム。
【請求項１６】
前記カテゴリ５ツイストペアケーブルは、
前記デジタルオーディオ信号、及び前記ＤＣ電力のグラウンドを搬送するための第１の差動ペアと、
前記データ信号、及び前記ＤＣ電力の正電圧を搬送するための第２の差動ペアと、
を含む、
請求項１２に記載のポータブルオーディオネットワーキングシステム。
【請求項１７】
前記デジタルオーディオ信号は、ＡＥＳ３規格に準拠する、
請求項１２に記載のポータブルオーディオネットワーキングシステム。
【請求項１８】
前記データ信号は、ＥＩＡ−４８５規格に準拠する双方向シリアルデータ通信を含み、  前記シリアルデータ通信は、アーキテクチャ・フォー・コントロール・ネットワーク（ＡＣＮ）規格の１又はそれ以上のプロトコルを含む、
請求項１２に記載のポータブルオーディオネットワーキングシステム。
【請求項１９】
ポータブルオーディオネットワーキングシステムであって、
電源からＤＣ電力を受け取り、前記ＤＣ電力を供給し、データ信号を送受信するように構成されるとともに、無線オーディオ送信機又は電子制御装置のうち１以上と無線で通信し、前記無線オーディオ送信機の機能の制御を可能にするようにさらに構成された無線アクセスポイントと、
前記無線アクセスポイントと通信し、前記無線アクセスポイントから前記ＤＣ電力を受け取り、前記無線アクセスポイントと前記データ信号を送受信するように構成されるとともに、前記無線オーディオ送信機から、アナログ変調信号又はデジタル変調信号のうち１以上を含みオーディオ信号を含む無線周波数（ＲＦ）信号を無線で受け取り、前記オーディオ信号に基づいてデジタルオーディオ信号を生成するようにさらに構成された無線オーディオ受信機と、
を備え、前記無線アクセスポイントと前記無線オーディオ受信機は、前記ＤＣ電力と前記データ信号を同時に搬送するように適合されたカテゴリ５ツイストペアケーブルを介して通信する、
ことを特徴とするポータブルオーディオネットワーキングシステム。
【請求項２０】
ポータブルオーディオネットワーキングシステムであって、
電源からＤＣ電力を受け取り、前記ＤＣ電力を供給し、データ信号を送受信するように構成されるとともに、無線オーディオ送信機又は電子制御装置のうち１以上と無線で通信し、前記無線オーディオ送信機の機能の制御を可能にするようにさらに構成された無線アクセスポイントと、
前記電源を含むビデオカメラと、
第１の赤外線送受信機を含み、前記無線オーディオ送信機から、アナログ変調信号又はデジタル変調信号のうち１以上を含みオーディオ信号を含む無線周波数（ＲＦ）信号を無線で受け取り、前記オーディオ信号に基づいてデジタルオーディオ信号を生成するように構成された無線オーディオ受信機と、
前記無線アクセスポイントと通信し、前記第１の赤外線送受信機と赤外線（ＩＲ）信号を介して前記データ信号を送受信するように構成された第２の赤外線送受信機を含み、前記無線アクセスポイントから前記ＤＣ電力を受け取り、前記無線アクセスポイントと前記データ信号を送受信するように構成された赤外線アダプタと、
を備え、前記無線アクセスポイントと前記赤外線アダプタは、前記ＤＣ電力と前記データ信号を同時に搬送するように適合されたカテゴリ５ツイストペアケーブルを介して通信する、
ことを特徴とするポータブルオーディオネットワーキングシステム。
【発明の詳細な説明】
【技術分野】
【０００１】
〔関連出願との相互参照〕
本出願は、２０１３年３月１５日に出願された米国仮特許出願第６１／８００，４７２号の利益を主張する、２０１３年５月２日に出願された米国非仮特許出願第１３／８７５，６８８号の利益を主張するものであり、これらの仮特許出願の内容はその全体が引用により本明細書に組み入れられる。
【０００２】
本出願は、一般にポータブルオーディオネットワーキングシステムに関する。具体的には、本出願は、デジタルオーディオ信号、電力及びデータ信号を同時に搬送するように適合されたケーブルを用いた、ポータブルオーディオ装置のネットワーク化に関する。
【背景技術】
【０００３】
オーディオ制作は、マイク、無線オーディオ送信機、無線オーディオ受信機、レコーダ、及び／又はテレビ番組、ニュース放送、映画、ライブイベント及びその他のタイプの製作物などの製作物の音を取り込んで記録するためのミキサを含む多くのコンポーネントの使用を伴うことができる。通常、マイクは製作物の音を取り込み、この音は、マイク及び／又は無線オーディオ送信機から無線オーディオ受信機に無線で送信される。無線オーディオ受信機は、クルーメンバによる音の記録及び／又はミキシングのための、プロダクションサウンドミキサなどのレコーダ及び／又はミキサに接続することができる。レコーダ及び／又はミキサには、クルーメンバがオーディオレベル及びタイムコードをモニタできるように、コンピュータ及びスマートフォンなどの電子装置を接続することができる。
【０００４】
通常、クルーメンバは、無線オーディオ受信機、レコーダ、ミキサ、及びこれらのコンポーネントに給電するためのバッテリが入ったバッグを携行する。製作物の音を取り込む各マイク及び／又は無線オーディオ送信機に対応する複数の無線オーディオ受信機を有することも珍しくはない。通常、各無線オーディオ受信機は、レコーダにオーディオ信号を送信するためのケーブル、及びバッテリから電力を受け取るための別のケーブルを有する。バッテリからレコーダ及びミキサに給電するためのケーブルも存在する。ケーブルの本数が多いことにより、コンポーネントのセットアップ及び接続に時間がかかり、（例えば、欠陥ケーブル、接続不良、ケーブルの故障などに起因して）問題が生じる可能性が増し、バッグの重量がクルーメンバにとって不快なまでに重くなる可能性がある。さらに、一般にクルーメンバは、一旦無線オーディオ送信機を配置すると、これらを遠隔的に制御することができない。
【発明の概要】
【発明が解決しようとする課題】
【０００５】
従って、これらの問題点に対処するシステムに可能性がある。具体的には、デジタルオーディオ信号、電力及びデータ信号をシステムのコンポーネント間で同時に搬送するように適合されたケーブルを用いたポータブルオーディオネットワーキングシステムに可能性がある。
【課題を解決するための手段】
【０００６】
本発明は、とりわけ、（１）ゲートウェイ相互接続装置などのマスタ装置と無線オーディオ受信機などのスレーブ装置との間でデジタルオーディオ信号、電力信号及び双方向データ信号を同時に搬送するケーブルを利用し、（２）電源からの電力を、マスタ装置を介してスレーブ装置に供給し、（３）スレーブ装置からのデジタルオーディオ信号をマスタ装置において受け取り、（４）マスタ装置とスレーブ装置の間でデータ信号を送受信し、（５）ゲートウェイ相互接続装置において録音及びミキシング目的で合成デジタルオーディオ信号を生成し、（６）無線オーディオ受信機及び無線オーディオ送信機の遠隔モニタリング及び制御を行うように設計されたポータブルオーディオネットワーキングシステムを提供することによって上述の問題点を解決することを目的とする。
【０００７】
ある実施形態では、ポータブルオーディオネットワーキングシステムが、マスタ装置及びスレーブ装置を含むことができる。マスタ装置は、デジタルオーディオ信号を受け取り、電源からＤＣ電力を受け取り、ＤＣ電力を供給し、データ信号を送受信するように構成することができる。スレーブ装置は、マスタ装置と通信することができ、マスタ装置にデジタルオーディオ信号を送信し、マスタ装置からＤＣ電力を受け取り、マスタ装置とデータ信号を送受信するように構成することができる。マスタ装置とスレーブ装置は、デジタルオーディオ信号、ＤＣ電力とデータ信号を同時に搬送するように適合されたケーブルを介して通信することができる。
【０００８】
別の実施形態では、ポータブルオーディオネットワーキングシステムが、ゲートウェイ相互接続装置及び無線オーディオ受信機を含むことができる。ゲートウェイ相互接続装置は、デジタルオーディオ信号を受け取り、電源からＤＣ電力を受け取り、ＤＣ電力を供給し、データ信号を送受信するように構成することができる。無線オーディオ受信機は、ゲートウェイ相互接続装置と通信することができ、ゲートウェイ相互接続装置にデジタルオーディオ信号を送信し、ゲートウェイ相互接続装置からＤＣ電力を受け取り、ゲートウェイ相互接続装置とデータ信号を送受信するように構成することができる。ゲートウェイ相互接続装置と無線オーディオ受信機は、デジタルオーディオ信号、ＤＣ電力とデータ信号を同時に搬送するように適合されたカテゴリ５ツイストペアケーブル（Ｃａｔｅｇｏｒｙ  ５  ｔｗｉｓｔｅｄ−ｐａｉｒ  ｃａｂｌｅ）を介して通信することができる。
【０００９】
さらなる実施形態では、ポータブルオーディオネットワーキングシステムが、無線アクセスポイント及び無線オーディオ受信機を含むことができる。無線アクセスポイントは、電源からＤＣ電力を受け取り、ＤＣ電力を供給し、データ信号を送受信するように構成することができ、無線オーディオ送信機又は電子制御装置のうち１以上と無線で通信し、無線オーディオ送信機、及び／又は無線オーディオ受信機などの他のネットワーク要素の機能の制御を可能にするようにさらに構成することができる。無線オーディオ受信機は、無線アクセスポイントと通信することができ、無線アクセスポイントからＤＣ電力を受け取り、無線アクセスポイントとデータ信号を送受信するように構成することができる。無線アクセスポイントと無線オーディオ受信機は、ＤＣ電力とデータ信号を同時に搬送するように適合されたカテゴリ５ツイストペアケーブルを介して通信することができる。
【００１０】
別の実施形態では、ポータブルオーディオネットワーキングシステムが、無線アクセスポイントと、電源を含むビデオカメラと、無線オーディオ受信機と、赤外線アダプタとを含むことができる。無線アクセスポイントは、電源からＤＣ電力を受け取り、ＤＣ電力を供給し、データ信号を送受信するように構成することができ、また無線オーディオ送信機又は電子制御装置のうち１以上と無線で通信し、無線オーディオ送信機の機能の制御を可能にするようにさらに構成することができる。無線オーディオ受信機は、第１の赤外線送受信機を含むことができ、無線オーディオ送信機からのオーディオ信号を含む無線周波数（ＲＦ）信号を無線で受け取り、このオーディオ信号に基づいてデジタルオーディオ信号を生成するように構成することができる。ＲＦ信号は、アナログ変調信号又はデジタル変調信号のうち１以上を含むことができる。赤外線アダプタは、第２の赤外線送受信機を含むことができ、無線アクセスポイントからＤＣ電力を受け取り、無線アクセスポイントとデータ信号を送受信するように構成することができる。無線オーディオ受信機の第１の赤外線送受信機と赤外線アダプタの第２の赤外線送受信機は、赤外線（ＩＲ）信号を介してデータ信号を送受信することができる。無線アクセスポイントと赤外線アダプタは、デジタルオーディオ信号、ＤＣ電力とデータ信号を同時に搬送するように適合されたカテゴリ５ツイストペアケーブルを介して通信することができる。
【００１１】
これらの及びその他の実施形態、並びに様々な置換及び態様は、本発明の原理を使用できる様々な方法を示す例示的な実施形態を記載する以下の詳細な説明及び添付図面から明らかになり、さらに十分に理解されるであろう。
【図面の簡単な説明】
【００１２】
【図１】いくつかの実施形態による、マスタ装置及びスレーブ装置を含むポータブルオーディオネットワーキングシステムのブロック図である。
【図２】いくつかの実施形態による、ゲートウェイ相互接続装置を含むポータブルオーディオネットワーキングシステムのブロック図である。
【図３】いくつかの実施形態による、無線アクセスポイント及び無線オーディオ受信機を含むポータブルオーディオネットワーキングシステムのブロック図である。
【図４】いくつかの実施形態による、無線アクセスポイント、無線オーディオ受信機及び赤外線アダプタを含むポータブルオーディオネットワーキングシステムのブロック図である。
【図５】デジタルオーディオ信号、ＤＣ電力及び双方向データ信号を同時に搬送するように適合されたケーブルの例示的なピン配列である。
【発明を実施するための形態】
【００１３】
以下の説明は、本発明の原理に従う本発明の１又はそれ以上の特定の実施形態について説明し、図示し、例示するものである。この説明は、本明細書で説明する実施形態に本発明を限定するためではなく、むしろ当業者が本発明の原理を理解した上でこれらの原理を適用し、本明細書で説明する実施形態のみならず、これらの原理に基づいて想起される他の実施形態も実施できるように、本発明の原理の説明及び教示のために行うものである。本発明の範囲は、文言上、又は均等論の下で添付の特許請求の範囲に含まれる可能性のある全ての実施形態を対象とすることが意図されている。
【００１４】
なお、説明及び図面では、同じ又は実質的に同様の要素には同じ参照数字を付している。しかしながら、例えば異なる数字を付した方が説明が明確になる場合には、これらの要素に異なる数字を付すこともある。また、本明細書に示す図面は必ずしも縮尺通りではなく、場合によっては、特定の特徴をより明確に示すために比率を誇張していることもある。このような表示及び作図手法は、必ずしも根底にある本質的な目的に関与するものではない。上述したように、本明細書は、本明細書で教示され当業者に理解される本発明の原理に従って全体として受け取られ解釈されるように意図されている。
【００１５】
図１は、オーディオコンポーネントのネットワーク化、並びにオーディオ、データ及び電力の分配のためのポータブルオーディオネットワーキングシステム１００のブロック図である。システム１００は、マスタ装置１０２、スレーブ装置１０４、マスタ装置１０２とスレーブ装置１０４を接続するためのケーブル１０６、及び電源１０８を含むことができる。マスタ装置１０２は、ケーブル１０６上で電源１０８からの電力をスレーブ装置１０４に分配し、及び／又はスレーブ装置１０４からのオーディオ信号を受け入れることができる。以下でさらに説明するように、マスタ装置１０２の例としては、ゲートウェイ相互接続装置又は無線アクセスポイントが挙げられる。スレーブ装置１０４は、ケーブル１０６上でマスタ装置１０２から電力を受け取り、及び／又はオーディオ信号を送信することができる。以下でさらに説明するように、スレーブ装置１０４の例としては、無線オーディオ受信機、オーディオレコーダ／ミキサ、又は無線アクセスポイントが挙げられる。例えば、常にマスタ装置と見なされるゲートウェイ接続装置を含むシステムでは、オーディオレコーダ／ミキサ及び／又は無線アクセスポイントをスレーブ装置と見なすことができる。このように、システムは、制御を維持しているコンポーネントを明確に示す階層を有する。マスタ装置１０２とスレーブ装置１０４の間では、ケーブル１０６上でデータを通信することもできる。電源１０８は、例えばリチウムイオンバッテリ又はＤＣ電源、及び／又はその他の電源を含むことができる。
【００１６】
ケーブル１０６は、オーディオ信号、電力信号及び双方向データ信号を同時に搬送することができる。図１に示すシステム１００では、オーディオ信号がスレーブ装置１０４からケーブル１０６を介してマスタ装置１０２に送信され、電力信号がマスタ装置１０２からケーブル１０６を介してスレーブ装置１０４に送信され、データ信号がマスタ装置１０２とスレーブ装置１０４の間でケーブル１０６を介して送受信される。ケーブル１０６は、マスタ装置１０２及びスレーブ装置１０４のＲＪ４５ポートにケーブル１０６を接続するためのＲＪ４５コネクタを含む、カテゴリ５アンシールドツイストペアケーブルとすることができる。ケーブル１０６の最大長は１００ｍとすることができるが、他の長さであってもよい。ケーブル１０６は、４つのツイストペアを含む合計８個のワイヤを含むことができる。１つの実施形態では、ケーブル１０６が、オーディオ信号、電力信号及びデータ信号を搬送するための２つの差動（ｄｉｆｆｅｒｅｎｔｉａｌ）ツイストペアを含むことができる。図５に、ケーブル１０６の例示的なピン配列を示す。具体的には、例えばピン３とピン６などの第１の差動ペアが、オーディオ信号と、電力信号のグラウンドとを搬送することができる。例えばピン１とピン２などの第２の差動ペアは、データ信号と、電力信号の正電圧とを搬送することができる。ケーブル１０６のこれらの特定のワイヤ及びピンについて説明しているが、ケーブル１０６の他のワイヤ及びピンを利用してオーディオ信号、電力信号及びデータ信号を同時に搬送することもできる。さらに、ケーブル１０６の他のピン及び／又は差動ツイストペア上で追加のオーディオ信号、データ信号及び／又は電力信号を搬送することもできる。現時点で使用されていないケーブル１０６のピンは、将来的な拡張に利用することができる。
【００１７】
ケーブル１０６で搬送されるオーディオ信号は、オーディオ技術学会ＡＥＳ３規格に従うデジタルオーディオ信号とすることができる。ＡＥＳ３規格は、最大９６ＫＨｚ、２４ビットのステレオオーディオに対応できるセルフクロッキングインターフェイスを規定する。いくつかの実施形態では、ケーブル１０６で搬送されるデジタルオーディオ信号を、４８ｋＨｚ、２４ビットのステレオオーディオとすることができる。他の実施形態では、デジタルオーディオ信号が異なるサンプリングレートを有することができ、異なるビット数で符号化することができ、及び／又はモノオーディオを有することができる。オーディオ信号には、他の適当な規格を利用することもできる。オーディオ信号は、例えばケーブル１０６のピン３とピン６などの第１の差動ペア上で搬送することができる。
【００１８】
ケーブル１０６で搬送されるデータ信号は、ＲＳ−４８５としても知られているＥＩＡ−４８５規格に従うことができる。ＥＩＡ−４８５規格は、同じバス上で複数のドライバをサポートして双方向通信を可能にするシリアルデータ通信インターフェイスを規定する。いくつかの実施形態では、ケーブル１０６で搬送されるデータ信号が２５０ｋｂｐｓのデータレートを有し、コンポーネントに含まれる受信機は、短絡状態中、又は開回路状態中にバスが０Ｖのアイドル状態になった時の非確定状態を防ぐ真のフェイルセーフ受信機とすることができる。他の実施形態では、データレートを高く又は低くすることも、及び／又はコンポーネント内で他のタイプの受信機を利用することもできる。ケーブル１０６は、マスタ装置１０２とスレーブ装置１０４などの２つのコンポーネントを直接接続するように意図される。データ信号には、例えばＥＩＡ−２３２、ＥＩＡ−４２２などの他の適当な規格を利用することもできる。データ信号は、例えばケーブル１０６のピン１とピン２などの第２の差動ペア上で搬送することができる。
【００１９】
データ信号に含まれる情報は、コマンド、状態、及び／又は、例えばモニタリング及び制御目的でシステム１００のコンポーネントから送受信されるその他の情報を含むことができる。シリアルデータ通信は、米国規格協会（ＡＮＳＩ）によって維持されるＡＮＳＩ  Ｅ１．１７  ２００６アーキテクチャ・フォー・コントロール・ネットワーク（ＡＣＮ）規格に従うことができる。ＡＣＮ規格は、システム１００のコンポーネントなどの様々な装置を制御して管理するためのプロトコルを規定する。これらのプロトコルは、他のプロトコルの中でも特に、セッションデータトランスポートプロトコル（ＳＤＴ）、装置管理プロトコル（ＤＭＰ）、及び装置記述言語（ＤＤＬ）を含む。
【００２０】
マスタ装置１０２及び／又はスレーブ装置１０４の機能は、変数として表すことができる。このような変数の例としては、ＲＦチャネル（例えば、無線オーディオ受信機と無線オーディオ送信機の間の通信のＲＦ周波数を示す設定）、オーディオ利得、オーディオレベルモニタリング、ミュート、又はオーディオ構成を挙げることができる。装置は、その変数の値を取り出すことによってモニタすることができ、その変数の値を設定することによって制御することができる。例えば、装置は、ＤＭＰを用いて、「ｇｅｔ」コマンドを送信して別の装置から変数の値を取り出し、及び／又は「ｓｅｔ」コマンドを送信して別の装置に変数の値を設定することができる。ＤＭＰは、装置の変数のためのアドレス方式も提供する。いくつかの実施形態では、２つよりも多くの装置を直接接続する場合、及び／又はＡＣＮ規格を利用する他のネットワークとの互換性のために、システム１００内にＳＤＴ及びＤＤＬを実装することもできる。
【００２１】
電力信号はＤＣ電力とすることができ、パワー・オーバー・イーサネット（登録商標）（ＰｏＥ）規格の側面に基づき、ケーブル１０６を介して搬送することができる。ＰｏＥ規格は、カテゴリ５ケーブルなどの、イーサネット（登録商標）ネットワーキングに適したケーブル上における電力及びデータの通過を可能にする。１つの実施形態では、ＰｏＥ規格によって規定されるように、電力信号を（例えば、ピン１とピン２、及びピン３とピン６などの）モードＡ差動ツイストペアで搬送することができ、別の実施形態では、電力信号を（例えば、ピン４とピン５、及びピン７とピン８などの）モードＢ差動ツイストペアで搬送することができる。いくつかの実施形態では、最小電力損及び変換損失を考慮するように、ケーブル１０６上の電力信号として電源１０８からの未調整電圧を供給することができる。従って、スレーブ装置１０４がケーブル１０６を介して電源１０８から直接給電を受ける一方で、マスタ装置１０２は、故障保護のためにこのＤＣ接続をモニタして維持することができる。電源１０８は、マスタ装置１０２に電力を供給することもできる。
【００２２】
マスタ装置１０２は、給電側装置の一部として動作することができ、スレーブ装置１０４は、受電側装置として動作することができる。スレーブ装置１０４は、差動ツイストペア間に２５ｋΩの抵抗器を含むことにより、スレーブ装置１０４に電力信号を供給できることを示すことができる。例えば、ケーブルの電圧は７〜１８Ｖで最大電流を１Ａとすることができるが、他の電圧及び／又は電流も可能である。電力信号には、他の適当な規格を利用することもできる。マスタ装置１０２及びスレーブ装置１０４の各々は、ケーブル１０６上で電力信号を共通モード電圧として伝送できるように、ケーブル１０６上でデジタルオーディオ信号とデータ信号を分離するための変圧器を含むことができる。
【００２３】
図２は、オーディオコンポーネントのネットワーク化、並びにオーディオ、データ及び電力の分配のためのポータブルオーディオネットワーキングシステム２００のブロック図である。システム２００は、オーディオ信号、データ信号及び／又は電力信号を同時に搬送するケーブルを用いてシステム２００のコンポーネント同士を物理的に相互接続するためのマスタ装置として動作するゲートウェイ相互接続装置２０２を含むことができる。マスタ装置として動作するゲートウェイ相互接続装置２０２は、ケーブルを介して、電源２０８からの電力を（無線オーディオ受信機２０４などの）スレーブ装置に分配し、スレーブ装置からのオーディオ信号を受け入れることができる。ゲートウェイ相互接続装置２０２とスレーブ装置の間では、データを通信することもできる。上述したように、システム２００では、ケーブル２０６、２１２及び２１６の各々を、システム２００のコンポーネントのＲＪ４５ポートにケーブルを接続するためのＲＪ４５コネクタを含むカテゴリ５アンシールドツイストペアケーブルとすることができる。
【００２４】
システム２００では、無線オーディオ受信機２０４の各々が、１又はそれ以上のデジタルオーディオ信号を生成し、ケーブル２０６を介してゲートウェイ相互接続装置２０２に送信することができる。上述したように、１つの実施形態では、ケーブル２０６上で搬送されるデジタルオーディオ信号がＡＥＳ３規格に従う。このデジタルオーディオ信号は、無線オーディオ受信機２０４が無線オーディオ送信機２０５から受け取った１又はそれ以上の無線周波数（ＲＦ）信号に含まれるオーディオ信号に基づくことができる。いくつかの実施形態では、単一の無線オーディオ受信機２０４が、複数の無線オーディオ送信機２０５からのそれぞれのＲＦ信号で複数のオーディオ信号を受け取ることができる。この場合、無線オーディオ受信機２０４は、これらの複数のオーディオ信号に基づき、複数のデジタルオーディオ信号を生成してゲートウェイ相互接続装置２０２に送信することができる。これらの複数のデジタルオーディオ信号は、ケーブル２０６を介して送信することができる。各無線オーディオ受信機２０４は、複数の無線オーディオ送信機２０５から複数のＲＦ信号を受け取ることができるので、システム２００内の無線オーディオ受信機２０４の数を削減することができる。無線オーディオ受信機２０４の実施形態は、「無線オーディオ受信機システム及び方法（Ｗｉｒｅｌｅｓｓ  Ａｕｄｉｏ  Ｒｅｃｅｉｖｅｒ  Ｓｙｓｔｅｍ  ａｎｄ  Ｍｅｔｈｏｄ）」という名称の同一出願人による同時出願された特許出願（代理人整理番号２５０８７．０３ＵＳ１）に開示されており、この特許出願はその全体が引用により本明細書に組み入れられる。
【００２５】
無線オーディオ送信機２０５は、オーディオ信号を含むＲＦ信号を無線オーディオ受信機２０４に無線で送信するコンポーネントとすることができる。オーディオ信号は、例えばマイクによって取り込まれた製作物からの音とすることができる。いくつかの実施形態では、無線オーディオ送信機２０５が、Ｓｈｕｒｅ社から市販されているＡＸＴ２００、ＵＬＸＤ２又はＵＲ２マイクなどのハンドヘルド式マイクとＲＦ送信機を一体化したものである。他の実施形態では、マイクが、Ｓｈｕｒｅ社から市販されているＡＸＴ１００、ＵＬＸＤ１又はＵＲ１ボディパック送信機などの無線オーディオ送信機２０５と有線通信する。ＲＦ信号は、アナログ変調信号又はデジタル変調信号とすることができる。無線オーディオ送信機２０５と、対応する無線オーディオ受信機２０４は、これらのコンポーネント間の通信に同じ周波数が利用されるように同期させることができる。例えば、ユーザは、各コンポーネントの赤外線同期ポートを物理的に整列させて無線オーディオ受信機２０４の同期ボタンを押すことにより、無線オーディオ送信機２０５と対応する無線オーディオ受信機２０４とを同期させておくことができる。
【００２６】
ゲートウェイ相互接続装置２０２は、無線オーディオ受信機２０４から受け取ったデジタルオーディオ信号に基づいて合成デジタルオーディオ信号を生成することができる。この合成デジタルオーディオ信号は、ゲートウェイ相互接続装置からケーブル２１６を介してオーディオレコーダ／ミキサ２１４に送信することができる。この合成デジタルオーディオ信号は、イーサネット（登録商標）を介したオーディオ送信のためのダンテ規格又は別の規格に従うことができる。ゲートウェイ相互接続装置２０２とオーディオレコーダ／ミキサ２１４は、ケーブル２１６によってイーサネット（登録商標）接続として接続することができる。ゲートウェイ相互接続装置２０２は、複数の無線オーディオ受信機２０４からのデジタルオーディオ信号を統合し、これを合成デジタルオーディオ信号としてオーディオレコーダ／ミキサ２１４に供給することができる。例えば、この合成デジタルオーディオ信号は、４つの無線オーディオ受信機２０４の各々から受け取られた２つのオーディオチャネルで構成された８つのオーディオチャネルを含むことができる。オーディオレコーダ／ミキサ２１４は、フラッシュメモリ、ハードドライブ、固体ドライブ、テープ、光学媒体などの媒体にオーディオ信号を記録し、及び／又はオーディオ信号のミキシング（例えば、合成、ルーティング、変更、及び／又は別の方法によるオーディオ信号の操作）を可能にする１又はそれ以上のコンポーネントとすることができる。いくつかの実施形態では、オーディオレコーダ／ミキサ２１４を、ラップトップコンピュータ、デスクトップコンピュータ、タブレットコンピュータ、スマートフォン、又はオーディオ信号の記録及び／又はミキシングを行うための他の電子装置とすることができる。いくつかの実施形態では、ゲートウェイ相互接続装置２０２のイーサネット（登録商標）対応出力が、システム２００をあらゆる従来のイーサネット（登録商標）ベースのネットワークに接続することができる。このようにして、システム２００の様々なコンポーネントを互いにネットワーク化することができ、またシステム２００を、イーサネット（登録商標）を利用する外部エンティティ及びコンポーネントとネットワーク化することもできる。
【００２７】
ゲートウェイ相互接続装置２０２は、電源２０８からの電力をシステム２００のコンポーネントに供給することができる。電源２０８は、ゲートウェイ相互接続装置２０２に電力を供給することができ、ゲートウェイ相互接続装置２０２は、無線オーディオ受信機２０４、オーディオレコーダ／ミキサ２１４、及び／又は無線アクセスポイント２１０に電力を分配することができる。具体的には、無線オーディオ受信機２０４は、ケーブル２０６を介してゲートウェイ相互接続装置２０２から電力信号を受け取ることができ、オーディオレコーダ／ミキサ２１４は、ケーブル２１６を介してゲートウェイ相互接続装置２０２から電力信号を受け取ることができる。無線アクセスポイント２１０も、ケーブル２１２を介してゲートウェイ相互接続装置２０２から電力信号を受け取ることができる。ゲートウェイ相互接続装置２０２は、コンポーネントが別のタイプのケーブルを介して電力信号を受け取るようにするパススルー電力インターフェイスを含むこともできる。上述したように、電力信号はＤＣ電力とすることができ、ケーブル２０６、２１２及び２１６を介して搬送することができる。いくつかの実施形態では、ゲートウェイ相互接続装置２０２が、無線オーディオ受信機２０４が正常に電力を受け取っているかどうかをモニタして確認することができる。無線オーディオ受信機２０４の１つに故障が存在する場合、ゲートウェイ相互接続装置２０２は、特定の無線オーディオ受信機２０４との通信を停止することができる。
【００２８】
ゲートウェイ相互接続装置２０２と、システム２００のコンポーネントとの間では、データ信号を送受信することもできる。このデータ信号に含まれる情報は、コマンド、状態、及び／又は、モニタリング及び制御目的でシステム２００のコンポーネントから送受信されるその他の情報を含むことができる。データ信号は、ゲートウェイ相互接続装置２０２、無線オーディオ受信機２０４、無線アクセスポイント２１０、及び／又はオーディオレコーダ／ミキサ２１４へと、又はこれらから、それぞれのケーブル２０６、２１２及び２１６上でルーティングすることができる。上述したように、データ信号は、ＥＩＡ−４８５規格に従うことができ、データ信号に含まれるシリアルデータ通信は、アーキテクチャ・フォー・コントロール・ネットワーク（ＡＣＮ）規格に従うことができる。データ信号に含まれる情報の例としては、例えば、（無線オーディオ受信機と無線オーディオ送信機の間の通信周波数を変更するための）ＲＦ周波数変更コマンド、オーディオ利得状態、オーディオ構成情報、又はオーディオレベルモニタリングを挙げることができる。いくつかの実施形態では、ゲートウェイ相互接続装置２０２が、他のコンポーネント及び／又はネットワーク（図示せず）と有線又は無線で通信して、他のコンポーネント間の、及び／又はネットワークとシステム２００の間のブリッジとして機能することができる。例えば、ゲートウェイ相互接続装置２０２は、イーサネット（登録商標）接続を介して別のコンポーネント及び／又はネットワークに接続することができる。
【００２９】
無線アクセスポイント２１０は、電子制御装置２１８からの無線オーディオ送信機２０５のモニタリング及び制御を可能にすることができる。無線アクセスポイント２１０は、Ｗｉ−Ｆｉ  ＩＥＥＥ８０２．１１接続を介して電子制御装置２１８と通信すると同時に、２．４ＧＨｚ  ＩＥＥＥ８０２．１５．４接続を介して（例えば、Ｓｈｕｒｅ社から市販されているＳｈｏｗＬｉｎｋ  Ｒｅｍｏｔｅ  ＣｏｎｔｒｏｌなどのＺｉｇＢｅｅベースのプロトコルを介して）無線オーディオ送信機２０５と通信することができる。いくつかの実施形態では、ゲートウェイ相互接続装置２０２と無線アクセスポイント２１０をケーブル２１２によってイーサネット（登録商標）接続として接続することができる。１つの実施形態では、スマートフォン、タブレットコンピュータ、ラップトップコンピュータ、デスクトップコンピュータなどなどの電子制御装置２１８が無線アクセスポイント２１０と通信し、無線オーディオ送信機２０５の機能を遠隔的にモニタして制御することができる。例えば、電子制御装置２１８を用いて無線オーディオ送信機２０５の利得を調整し、オーディオレベル及びタイムコードをモニタし、及び／又はＲＦ性能、統計値などのシステム２００の無線的側面をモニタして制御することができる。このようなモニタリング及び制御は、電子制御装置２１８上で実行される、Ｓｈｕｒｅ社から市販されているＷｉｒｅｌｅｓｓ  Ｗｏｒｋｂｅｎｃｈなどのアプリケーションによって可能にすることができる。
【００３０】
一般に、システム２００のあらゆるコンポーネントは、モニタリング及び／又は制御目的でシステム２００の他のあらゆるコンポーネントとデータを交換することができる。いくつかの実施形態では、無線アクセスポイント２１０が、オーディオレコーダ／ミキサ２１４からの、及び／又はシステム２００の他のコンポーネントからの無線オーディオ送信機２０５のモニタリング及び制御を可能にすることができる。例えば、ユーザは、オーディオレコーダ／ミキサ２１４において、無線オーディオ送信機２０５の利得又はミュートなどの設定を調整することができる。オーディオレコーダ／ミキサ２１４からは、ゲートウェイ相互接続装置２０２及び無線アクセスポイント２１０を介して、適当なコマンドを含むデータ信号を無線オーディオ送信機２０５に送信することができる。無線オーディオ送信機２０５は、無線アクセスポイント２１０及びゲートウェイ相互接続装置２０２を介して、オーディオレコーダ／ミキサ２１４にデータ信号を返送してコマンドの実行を肯定応答することができる。別の例として、無線オーディオ受信機２０４及び無線オーディオ送信機２０５が現在利用している周波数に干渉が検出された場合、より干渉の少ない周波数に変更することができる。無線オーディオ受信機２０４及び無線オーディオ送信機２０５の両方が新たな周波数に変更されるように、ゲートウェイ相互接続装置２０２及び無線アクセスポイント２１０を介して、適当なコマンドを含むデータ信号を無線オーディオ送信機２０５に送信することができる。
【００３１】
他の実施形態では、たとえシステム２００内に無線アクセスポイント２１０が存在しない場合でも、オーディオレコーダ／ミキサ２１４及び／又はその他のコンポーネントから、無線オーディオ受信機２０４などのシステム２００のコンポーネントをモニタ及び／又は制御することができる。例えば、オーディオレコーダ／ミキサ２１４からケーブル２１６を介してゲートウェイ相互接続装置２０２にデータを送信し、その後にゲートウェイ相互接続装置２０２からケーブル２０６を介して無線オーディオ受信機２０４に送信することができる。このようなデータは、例えば、無線オーディオ受信機２０４の利得、及び／又は無線オーディオ受信機２０４のオーディオレベルの状態を調整するためのコマンドを含むことができる。
【００３２】
図２に示すシステム２００は、既存のオーディオ製品構成のケーブル敷設、重量、セットアップ及び制御の問題を解決することができる。クルーメンバなどのユーザは、例えばゲートウェイ相互接続装置２０２、無線オーディオ受信機２０４、ケーブル２０６、電源２０８、無線アクセスポイント２１０、ケーブル２１２、オーディオレコーダ／ミキサ２１４、ケーブル２１６、及び／又は電子制御装置２１８をバッグなどに入れて携行することができる。ゲートウェイ相互接続装置２０２とシステム２００の他の各コンポーネントとの間でオーディオ信号、データ信号及び電力を搬送するには１つのケーブルしか必要としないので、システム２００で利用するケーブル数は、既存のオーディオ製品構成に比べて大幅に減少する。ユーザが接続するケーブル数が少ないので、セットアップ時間も減少する。さらに、ケーブル数が減少するので、クルーメンバが携行するバッグの重量も減少する。システム２００で利用するカテゴリ５ケーブルは、耐久性に優れ、軽量であり、安価であり、容易に入手でき、所望の長さにカスタマイズし易く、現場において実用的である。システム２００のコンポーネントのモニタリング及び制御、並びに無線オーディオ送信機２０５の遠隔制御は、システム２００を使用して可能になる。システム２００は、ユーザのニーズに応じてあらゆる数のコンポーネントをネットワーク化するように拡張可能である。
【００３３】
他の実施形態では、図３及び図４に示すように、ポータブルオーディオネットワーキングシステムの他の構成内に無線アクセスポイントを実装して無線オーディオ送信機の遠隔モニタリング及び制御を可能にすることができる。これらの実施形態では、無線アクセスポイントをマスタ装置と見なすことができる。図３は、無線オーディオ送信機３０５の遠隔モニタリング及び制御を迅速かつ容易に可能にするポータブルオーディオネットワーキングシステム３００のブロック図である。システム３００は、ケーブル３０６を介して無線オーディオ受信機３０４と通信する無線アクセスポイント３１０を含む。無線アクセスポイント３１０は、電源３０８からの電力を無線オーディオ受信機３０４に分配し、無線オーディオ受信機３０４との間でデータを送受信して、無線オーディオ送信機３０５の遠隔モニタリング及び制御を可能にすることができる。このデータは、コマンド、状態及び／又はその他の情報を含むことができる。ケーブル３０６は、無線アクセスポイント３１０と無線オーディオ受信機３０４との間で、データ信号と電力信号を同時に搬送することができる。いくつかの実施形態では、無線オーディオ受信機３０４が単独で給電を受けることができる。電源３０８は、無線アクセスポイント３１０に電力を供給することもできる。
【００３４】
無線オーディオ送信機３０５をモニタして制御するために、無線アクセスポイント３１０と無線通信する電子制御装置３１８を利用することができる。無線オーディオ受信機３０４は、無線オーディオ送信機３０５から、オーディオ信号を含むＲＦ信号を受け取ることができる。無線オーディオ受信機３０４は、ＲＦ信号内のオーディオ信号に基づいてデジタルオーディオ信号を生成し、このデジタルオーディオ信号をさらなる処理のためにレコーダ（図示せず）などの別のコンポーネントに別個の接続を介して送信することができる。無線アクセスポイント３１０は、２．４ＧＨｚ  ＩＥＥＥ８０２．１５．４接続を介して無線オーディオ送信機３０５と通信することができる。クルーメンバなどのユーザは、例えば電源３０８、無線アクセスポイント３１０、ケーブル３０６、無線オーディオ受信機３０４及び／又は電子制御装置３１８をバッグなどに入れて携行することができる。
【００３５】
図４は、ビデオカメラ４１２内に組み込まれた無線オーディオ受信機４０４と無線通信する無線オーディオ送信機４０５の遠隔モニタリング及び制御を迅速かつ容易に可能にするポータブルオーディオネットワーキングシステム４００のブロック図である。無線オーディオ受信機４０４は、例えばビデオカメラ４１２のレセプタクルに挿入されるスロットタイプの受信機とすることができる。ビデオカメラ４１２は、ビデオカメラ４１２、無線オーディオ受信機４０４及び／又は無線アクセスポイント４１０に給電できるバッテリを有することができる。無線アクセスポイント４１０は、ケーブル４０６を介して赤外線（ＩＲ）アダプタ４０３と通信する。無線アクセスポイント４１０は、ビデオカメラ４１２からの電力をＩＲアダプタ４０３に分配し、ＩＲアダプタ４０３との間でデータを送受信して無線オーディオ送信機４０５の遠隔モニタリング及び制御を可能にすることができる。ケーブル４０６は、無線アクセスポイント４１０とＩＲアダプタ４０３の間で、データ信号と電力信号を同時に搬送することができる。データは、コマンド、状態及び／又はその他の情報を含むことができる。無線オーディオ送信機４０５のモニタリング及び制御は、無線アクセスポイント４１０と無線通信する電子制御装置４１８を利用して行うことができる。
【００３６】
ＩＲアダプタ４０３は、無線オーディオ受信機４０４と機械的に連結し、ＩＲアダプタ４０３と無線オーディオ受信機４０４のＩＲポートとの間の光学的ＩＲ通信を可能にすることができる。この構成は、無線オーディオ受信機４０４がケーブルを受け入れるためのポートを有していない時に無線アクセスポイント４１０と無線オーディオ受信機４０４の間の通信を可能にするのに有用である。無線オーディオ受信機４０４は、空間的制約に起因して、及び／又は、例えばスロットタイプの無線オーディオ受信機４０４とビデオカメラ４１２との間のインターフェイスがビデオカメラ４１２自体の内部に存在するという理由で、このようなポートを有していないこともある。ＩＲアダプタ４０３と無線オーディオ受信機４０４のＩＲポートとの間のＩＲ信号は、無線アクセスポイント４１０からのデータを含むことができる。無線オーディオ受信機４０４は、無線オーディオ送信機４０５からのオーディオ信号を含むＲＦ信号を受け取ることができる。無線オーディオ受信機４０４は、ＲＦ信号内のオーディオ信号に基づいてデジタルオーディオ信号を生成し、このデジタルオーディオ信号をさらなる処理のためにレコーダ（図示せず）などの別のコンポーネントに送信することができる。無線アクセスポイント４１０は、２．４ＧＨｚ  ＩＥＥＥ８０２．１５．４接続を介して無線オーディオ送信機４０５と通信することができる。無線アクセスポイント４１０、ケーブル４０６及び／又は電子制御装置４１８は、例えばクルーメンバがバッグに入れて携行することも、或いはビデオカメラ４１２に取り付けることもできる。
【００３７】
本開示は、様々な実施形態の形成及び使用方法を技術に従って説明するためのものであり、その真の、意図する、公正な範囲及び思想を限定するものではない。上述の説明は、包括的であること、又は開示した正確な形に限定されることを意図するものではない。上記の教示に照らして修正例及び変形例が可能である。（単複の）実施形態は、説明する技術の原理及びその実施可能な応用を示すとともに、様々な実施形態の技術、及び想定される特定の用途に適した様々な修正例を当業者が利用できるように選択して説明したものである。このような全ての修正例及び変形例は、これらの権利を公正に、法的に、かつ公平に認める外延に従って解釈した場合、本出願の係属中に補正される可能性もある添付の特許請求の範囲によって定められる実施形態及びその全ての同等物の範囲に含まれる。
【図１】
2019146230.tif 000003
【図２】
2019146230.tif 000004
【図３】
2019146230.tif 000005
【図４】
2019146230.tif 000006
【図５】
2019146230.tif 000007
【手続補正書】
【提出日】平成31年4月26日(2019.4.26)
【手続補正１】
【補正対象書類名】特許請求の範囲
【補正対象項目名】全文
【補正方法】変更
【補正の内容】
【特許請求の範囲】
【請求項１】
ポータブルオーディオネットワーキングシステムであって、
デジタルオーディオ信号を受け取り、電源からＤＣ電力を受け取り、前記ＤＣ電力を供給し、無線オーディオ受信機とデータ信号を送受信するように構成されたゲートウェイ相互接続装置と、
前記ゲートウェイ相互接続装置と通信して、前記ゲートウェイ相互接続装置に前記デジタルオーディオ信号を送信し、前記ゲートウェイ相互接続装置から前記ＤＣ電力を受け取り、前記ゲートウェイ相互接続装置と前記データ信号を送受信するように構成された前記無線オーディオ受信機と、
を備え、前記ゲートウェイ相互接続装置と前記無線オーディオ受信機は、前記デジタルオーディオ信号、前記ＤＣ電力及び前記データ信号を同時に搬送するように適合されたカテゴリ５ツイストペアケーブルを介して通信し、
前記データ信号は、前記ゲートウェイ相互接続装置と前記無線オーディオ受信機との状態を含み、
前記ゲートウェイ相互接続装置は、オーディオレコーダ又はオーディオミキサのうち１以上を含むオーディオ装置とさらに通信し、
前記ゲートウェイ相互接続装置は、前記デジタルオーディオ信号に基づいて合成デジタルオーディオ信号を生成し、前記オーディオ装置に前記合成デジタルオーディオ信号を送信し、前記オーディオ装置に前記ＤＣ電力を供給し、前記オーディオ装置と前記データ信号を送受信するように構成され、前記合成デジタルオーディオ信号は、ダンテ規格に準拠する、
ことを特徴とするポータブルオーディオネットワーキングシステム。
【請求項２】
前記無線オーディオ受信機は、
無線オーディオ送信機から、アナログ変調信号又はデジタル変調信号のうち１以上を含みオーディオ信号を含む無線周波数（ＲＦ）信号を無線で受け取り、
前記オーディオ信号に基づいて前記デジタルオーディオ信号を生成する、
ように構成される、
請求項１に記載のポータブルオーディオネットワーキングシステム。
【請求項３】
前記ゲートウェイ相互接続装置は、無線オーディオ送信機又は電子制御装置のうち１以上と無線で通信するように構成された無線アクセスポイントとさらに通信し、
前記ゲートウェイ相互接続装置は、前記無線アクセスポイントに前記ＤＣ電力を供給し、前記無線アクセスポイントと前記データ信号を送受信するように構成され、
前記無線アクセスポイントは、前記無線オーディオ送信機の機能の制御を可能にするように構成される、
請求項１に記載のポータブルオーディオネットワーキングシステム。
【請求項４】
前記カテゴリ５ツイストペアケーブルは、
前記デジタルオーディオ信号、及び前記ＤＣ電力のグラウンドを搬送するための第１の差動ペアと、
前記データ信号、及び前記ＤＣ電力の正電圧を搬送するための第２の差動ペアと、
を含む、
請求項１に記載のポータブルオーディオネットワーキングシステム。
【請求項５】
前記デジタルオーディオ信号は、ＡＥＳ３規格に準拠する、
請求項１に記載のポータブルオーディオネットワーキングシステム。
【請求項６】
前記データ信号は、ＥＩＡ−４８５規格に準拠する双方向シリアルデータ通信を含み、  前記シリアルデータ通信は、アーキテクチャ・フォー・コントロール・ネットワーク（ＡＣＮ）規格の１又はそれ以上のプロトコルを含む、
請求項１に記載のポータブルオーディオネットワーキングシステム。
【請求項７】
前記電子制御装置は、スマートフォン、タブレットコンピュータ、ラップトップコンピュータ、又はデスクトップコンピュータのうちの１つ又はそれ以上を含み、前記電子制御装置は、前記無線オーディオ送信機の機能の制御を可能にするためのアプリケーションを実行することができる、
請求項３に記載のポータブルオーディオネットワーキングシステム。
【請求項８】
前記ゲートウェイ相互接続装置及び前記無線オーディオ受信機の各々は、ＲＪ４５ポートを含み、
前記カテゴリ５ツイストペアケーブルは、前記ゲートウェイ相互接続装置と前記無線オーディオ受信機をそれぞれのＲＪ４５ポートを介して接続するための第１のＲＪ４５コネクタ及び第２のＲＪ４５コネクタを含む、
請求項１に記載のポータブルオーディオネットワーキングシステム。
【請求項９】
前記ＤＣ電力は、前記ケーブルを介してパワー・オーバー・イーサネット（登録商標）（ＰｏＥ）規格の側面を用いて搬送される、
請求項１に記載のポータブルオーディオネットワーキングシステム。
【請求項１０】
ポータブルオーディオネットワーキングシステムであって、
電源からＤＣ電力を受け取り、前記ＤＣ電力を供給し、データ信号を送受信するように構成されるとともに、無線オーディオ送信機又は電子制御装置のうち１以上と無線で通信し、前記無線オーディオ送信機の機能の制御を可能にするようにさらに構成された無線アクセスポイントと、
前記電源を含むビデオカメラと、
第１の赤外線送受信機を含み、前記無線オーディオ送信機から、アナログ変調信号又はデジタル変調信号のうち１以上を含みオーディオ信号を含む無線周波数（ＲＦ）信号を無線で受け取り、前記オーディオ信号に基づいてデジタルオーディオ信号を生成するように構成された無線オーディオ受信機と、
前記無線アクセスポイントと通信し、前記第１の赤外線送受信機と赤外線（ＩＲ）信号を介して前記データ信号を送受信するように構成された第２の赤外線送受信機を含み、前記無線アクセスポイントから前記ＤＣ電力を受け取り、前記無線アクセスポイントと前記データ信号を送受信するように構成された赤外線アダプタと、
を備え、前記無線アクセスポイントと前記赤外線アダプタは、前記ＤＣ電力と前記データ信号を同時に搬送するように適合されたカテゴリ５ツイストペアケーブルを介して通信する、
ことを特徴とするポータブルオーディオネットワーキングシステム。